(57)【特許請求の範囲】
【請求項１】
ペットボトルの如き透明あるいは半透明のビン型容器類を組み合わせて構成し、砂場の周囲を取り囲むようにして設置した砂場用の防護柵であって、
この防護柵に更に風車部材および／またはテグスの如き紐状部材を備えたものである砂場用の防護柵。
【請求項２】
風車部材がペットボトルにて形成されているものである請求項１に記載の砂場用の防護柵。
【請求項３】
ペットボトルの如き透明あるいは半透明のビン型容器類を適宜に組み合わせて配置し模様や図柄を描いて構成したものである請求項１または請求項２のいずれかに記載の砂場用の防護柵。
【発明の詳細な説明】
【０００１】
【発明の属する技術分野】
本発明は公園などに設置する砂場の防護に関するものであり、より詳しくは閉鎖的・隔離的となることなく犬や猫など小動物の進入を防ぎ、糞尿による砂の汚染を防止することができ、且つペットボトルのリサイクル活用をも併せて促進するためのものである。
【０００２】
【従来の技術】
近年、砂場の砂の中から夥しい量の大腸菌や寄生虫卵が検出されるようになっているが、これは犬や猫など小動物の糞尿が原因で砂が汚染されている結果であることが報告されている。
このような状況は、地表の殆どが舗装に覆われて土や砂地の面積が減少している都市部において特に顕著であり、野良犬や野良猫などが原因となっている他にもペットを放し飼いにしたり、更には散歩をさせる際に砂場をペットのトイレ代わりにする心無い飼い主の多いことも一層汚染を進める原因となっている。
そして、このような汚染の進んだ砂場で遊ぶ子供たちは、砂いじりの際に手や指を口や目などに当てることは当然あり得ることであり、大腸菌や寄生虫の危険にさらされているのである。大腸菌の場合には下痢や腹痛を起こしたり、犬・猫回虫卵の場合には口から入って幼虫となり、それが消化管を突き破って体の各部へ移動する。肝臓などの内蔵に移動すると肝機能がおかされ、目に移動すると視力が低下してやがて失明することもあるのである。
【０００３】
従来、上記のような問題についての対策としては、例えば犬や猫など小動物が飛び越せないような高さとしたフェンスなどを砂場の周囲に巡らしたり、これら小動物が嫌う忌避剤を砂に混入したり、汚染対策として糞尿から放散される大腸菌や寄生虫卵を殺菌・駆除する効果のある抗菌砂を用いるなどが知られている。しかしながら、板状あるいは壁状のフェンスを用いた場合には内外相互の視認性が悪くなり砂場が閉鎖的な様相となってしまうほか、格子状あるいは網状のフェンスでは恰も檻のような態様となったりして、中で遊ぶ子供たちが逆に隔離されたような状態となってしまい主客転倒であるとの批判もあった。また、忌避剤や抗菌砂の効力は時間が経つと衰えてしまうほか、補充や交換にも多大な費用が掛かるという不具合があった。
【０００４】
そこで、本願出願人は砂場の周囲に透明あるいは半透明のペットボトルを組み合わせて構成した防護柵を巡らすようにした『砂場用の防護柵』を本願に先立ち提案した（特願平６−３０５３４０）。
この防護柵を構成するペットボトルは、透明あるいは半透明で略円柱形状となっていることから光を微妙に反射するものであり、特に水などを内部に入れておいた場合には更に奇異で異様な反射光を発するため、犬や猫など小動物が恐れて嫌い近づかない傾向があるものである。
このため、この防護柵はペットボトルを縦状態として用いる場合で、一段あるいは二段積み程度の低い高さで充分な効果を期待できることから、砂場の内部の様子を外部から容易に見ることができると共に、内部からも外の様子が見えるようになり、砂場が閉鎖的な様相となったり子供たちが隔離・収容されたような状態となったりせずに犬や猫など小動物の進入を防ぐことができるものである。
【０００５】
【発明が解決しようとする課題】
本発明はこのような砂場用の防護柵について更に改良を進め、閉鎖的・隔離的となることなく犬や猫など小動物の進入を一層強力に防ぎ、糞尿による砂の汚染を防止することのできる砂場用の防護柵を提供せんとするものであり、併せて、ペットボトルのリサイクル活用をも一層促進することを目的とするものである。
【０００６】
【課題を解決するための手段】
本発明に係る砂場用の防護柵は上記のような課題を解決するため、犬や猫など小動物の進入を防ぐために砂場の周囲に設置する防護柵を、透明あるいは半透明のペットボトルを組み合わせて構成するものであり、更にこの防護柵に風車部材やテグス部材などを備えるものである。
また、この風車部材自体をもペットボトルにて形成するほか、透明あるいは半透明のペットボトルを適宜に組み合わせて配置することにより様々な模様や図柄を描いて防護柵を構成するようにしたものである。
【０００７】
尚、以上および以下の記述において「ペットボトル」とは、厳密にはＰＥＴ（ポリエチレンテレフタノール）樹脂製のビン型容器類を指すものであるが、本発明においてはこの材質・形状に限らず、例えばガラスや各種プラスチックの容器など視覚的に類似するその他の材質・材料の容器をも広く一般的に意味し総称する用語として用いるものであり、その形状も一般的なビン型に必ずしも特定するものではない。
また、「風車部材」とは、風力により回転するものを一般的に意味する用語として用いるものであり、「テグス部材」とは、釣り糸や荷造り紐など細い紐状のものを一般的に意味する用語として用いるものである。
【０００８】
このような構成とした本発明の砂場用の防護柵は、柵自体を犬や猫など小動物が恐れて嫌い近づかない傾向がある透明あるいは半透明のペットボトルにて構成したことにより、その進入を防ぐことができる。
また、このことにより比較的低い高さでも充分な効果を期待できることから、内外の視認性が高まり砂場が閉鎖的な様相となったり子供たちが隔離・収容されたような状態となったりせずに、開放的な感覚としながら犬や猫など小動物の進入を防ぐことができる。
更に、このような防護柵に風車部材やテグス部材を備えたことにより、風車部材の回転や回転による音あるいはテグス部材の異様な感触などが犬や猫など小動物に対して更に強い恐怖感や不快感を与えることができるため、その進入をより一層強力に防ぐことができる。
そして、風車部材自体もペットボトルにて形成するようにした場合には、使用済みペットボトルのリサイクル活用を一層促進することができるほか、ペットボトルにて防護柵を構成する際に、透明あるいは半透明のペットボトルを適宜に組み合わせて配置し様々な模様などを描いた場合には、一層開放的な感覚とすることができる。
【０００９】
【発明の実施の形態】
本発明の実施の形態を以下、図面に基づいて説明する。
図１は本発明の砂場用の防護柵１を示すものであり、透明あるいは半透明のペットボトル３を複数組み合わせて構成した防護柵１を、砂場２の周囲を取り囲むようにして設置し、そして更に、この防護柵１に風車部材４およびテグス部材５を備えたものである。この防護柵１は、図２に示すようにビン型のペットボトル３を縦状態として用いており、砂場２の周囲を取り囲む基礎コンクリート６に取付けた形鋼７の上に、鉄筋８を挿通させて３段積みにした状態で多数組み合わせて構成しているものである。尚、図１に示すように出入口に回転ドアを採用すれば、犬や猫など小動物の進入を阻止することができ好ましいものとなる。
そして、各鉄筋８の上部９はペットボトル３を押さえる平鋼１０を貫通して固定されており、更にその先端部１１にはテグス部材５が架設されている。
また、先端部１１のうちの数個には、風車部材４を支持する軸１２が取付金具１３を介して回動自在に取付けられている。
尚、鉄筋８については数本置きに紐などで代用することも可能であり、このようにすればコストも低減できて好ましいものとなる。
【００１０】
図３は風車部材４の詳細を示すものであり、ペットボトル３の側面に切り込みを入れ引き起こして羽根部４ａを形成し、そして底部３ａと口部３ｂに軸１２を貫通させて構成したものである。
この風車部材４は風力により回転するものであるが、この回転や更には回転による音などが犬や猫など小動物には極めて強い恐怖感や不快感を与えるものとなる。
尚、風車部材としては、風力で回転するものであれば他のものでも使用可能ではあるが、このようにペットボトル３を利用して形成することにより、使用済みペットボトルのリサイクル活用を一層促進することができ好ましいものとなる。
【００１１】
テグス部材５は細い紐状のものであるため遠くからは見えにくいが、実際に傍に寄って見たり触れたりすると異様な感触があり、犬や猫など小動物に対して更に強い恐怖感や不快感あるいは嫌悪感を与えるものとなる。
また、防護柵１の上部は平鋼１０の表面に鉄筋８の上部９やテグス部材５が架設された先端部１１などが突出した形状となっていることから、特に猫などが飛び乗ったり歩いたりすることは不可能となっている。
このことは、飛び下りて着地する向こう側を確認しない限り柵などを飛び絨えたりはしない猫の習性からしても理に適ったものであり、一旦上部に乗ることを不可能とすれば決して飛び越えたりしないこととなるものである。
【００１２】
更に、このようにペットボトル３にて防護柵１を構成する際に、透明あるいは半透明のペットボトル３を適宜に組み合わせて配置し様々な模様などを描いた場合には、一層開放的な感覚とすることができ美観上も更に好ましいものとなる。
【００１３】
【発明の効果】
本発明に係る砂場用の防護柵は以上説明してきた如き内容のものであり、砂場が閉鎖的・隔離的となることなく犬や猫など小動物の進入を一層強力に防ぎ、糞尿による砂の汚染を防止することができるものである。
即ち、微妙且つ奇異で異様な反射光を発するため犬や猫など小動物が恐れて嫌い近づかない傾向がある透明あるいは半透明のペットボトルにて防護柵を構成したことにより、これら小動物が砂場に進入することを防ぐことができる。
このことにより、防護柵を比較的低い高さとしても充分な効果が期待できるため砂場の内外相互の視認性が向上し、砂場が閉鎖的な様相となったり子供たちが隔離・収容されたような状態となったりせずに、開放的な感覚としながら小動物の進入を防ぐことができる。
そして、更に風車部材やテグス部材を備えたことにより、この風車部材の回転や回転による音、あるいはテグス部材の異様な感触などが犬や猫など小動物に対して更に強い恐怖感や不快感を与えることができるため、その進入を一層強力に防ぐことができる。
また、風車部材自体もペットボトルにて形成するようにした場合には、使用済みペットボトルのリサイクル活用を一層促進することができるほか、ペットボトルにて防護柵を構成する際に、透明あるいは半透明のペットボトルを適宜に組み合わせて配置し様々な模様などを描いた場合には、一層開放的な感覚とすることができ美観上も更に好ましいものとなる。
【図面の簡単な説明】
【図１】本発明に係る砂場用の防護柵の実施の形態を示す外観図である。
【図２】図１に示す砂場用の防護柵の部分断面図である。
【図３】図１および図２に示す風車部材の詳細図である。
【符号の説明】
１…砂場用の防護柵          ４…風車部材
２…砂場                    ５…テグス部材
３…ペットボトル
【図１】
0003673974.tif 000002
【図２】
0003673974.tif 000003
【図３】
0003673974.tif 000004